(57)【要約】【課題】情報提供者のプライバシーを侵害する可能性がある情報の配信を抑制すること。【解決手段】本配信抑制手法では、移動体Ｍに搭載されたカメラＣによって撮影された撮影画像Ｉ２を取得する。本配信抑制手法では、第三者に対する撮影画像Ｉ２の配信を抑制するか否かを判定する。ここで、撮影画像Ｉ２には、移動体Ｍのドライバーの自宅が映り込んでいる。この場合、本配信抑制手法では、第三者に対する撮影画像Ｉ２の配信を抑制すると判定する。そして、本配信抑制手法では、撮影画像Ｉ２の配信を抑制すると判定された場合、配信抑制装置１０１からサーバ１０２に撮影画像Ｉ２を送信しない。これにより、情報提供者のプライバシーを侵害する可能性がある場所が映り込んでいる撮影画像の第三者への配信を抑制して、情報提供者のプライバシーを保護する。【選択図】図１
2011141762.tif 000002
【特許請求の範囲】
【請求項１】
移動体に搭載されたカメラによって撮影された前記移動体外の撮影画像を取得する取得手段と、
前記取得手段によって取得された撮影画像に関連付けられている前記移動体の位置情報と、予め設定された任意の地点の位置情報とに基づいて、他のコンピュータに対する前記撮影画像の配信を抑制するか否かを判定する判定手段と、
前記判定手段によって判定された判定結果を出力する出力手段と、
を備えることを特徴とする配信抑制装置。
【請求項２】
前記移動体の位置情報と前記任意の地点の位置情報とに基づいて、前記移動体の位置と前記任意の地点との距離を算出する算出手段をさらに備え、
前記判定手段は、
前記算出手段によって算出された距離が予め設定された閾値未満の場合、前記撮影画像の配信を抑制すると判定することを特徴とする請求項１に記載の配信抑制装置。
【請求項３】
前記判定手段は、
前記移動体の位置情報と、前記移動体の目的地点の位置情報とに基づいて、前記撮影画像の配信を抑制するか否かを判定することを特徴とする請求項１または２に記載の配信抑制装置。
【請求項４】
前記取得手段は、
さらに、前記撮影画像の撮影時の前記移動体の走行状態を示す走行状態情報を取得し、
前記判定手段は、
前記取得手段によって取得された走行状態情報に基づいて、前記撮影画像の配信を抑制するか否かを判定することを特徴とする請求項１〜３のいずれか一つに記載の配信抑制装置。
【請求項５】
前記取得手段は、
さらに、前記移動体が走行する道路に関する地図情報を取得し、
前記判定手段は、
さらに、前記取得手段によって取得された地図情報に基づいて、前記撮影画像の配信を抑制するか否かを判定することを特徴とする請求項４に記載の配信抑制装置。
【請求項６】
前記配信抑制装置はさらに、前記判定手段によって配信を抑制すると判定された場合に、前記撮影画像を加工する加工手段を有し、
前記出力手段は、前記加工手段により加工された撮影画像を出力することを特徴とする請求項１に記載の配信抑制装置。
【請求項７】
コンピュータに、
移動体に搭載されたカメラによって撮影された前記移動体外の撮影画像を取得する取得工程と、
前記取得工程によって取得された撮影画像に関連付けられている前記移動体の位置情報と、予め設定された任意の地点の位置情報とに基づいて、他のコンピュータに対する前記撮影画像の配信を抑制するか否かを判定する判定工程と、
前記判定工程によって判定された判定結果を出力する出力工程と、
を実行させることを特徴とする配信抑制方法。
【請求項８】
コンピュータを、
移動体に搭載されたカメラによって撮影された前記移動体外の撮影画像を取得する取得手段、
前記取得手段によって取得された撮影画像に関連付けられている前記移動体の位置情報と、予め設定された任意の地点の位置情報とに基づいて、他のコンピュータに対する前記撮影画像の配信を抑制するか否かを判定する判定手段、
前記判定手段によって判定された判定結果を出力する出力手段、
として機能させることを特徴とする配信抑制プログラム。
【発明の詳細な説明】
【技術分野】
【０００１】
本発明は、情報の配信を抑制する配信抑制装置、配信抑制方法および配信抑制プログラムに関する。
【背景技術】
【０００２】
従来から、自動車や自動二輪車などの運転者に対して運転支援情報を提供する技術がある。具体的には、たとえば、交通情報収集配信システムにおいて、移動体の現在位置に基づいて交通情報を生成し、生成された交通情報を交通情報利用者に配信することにより、交通情報利用者に課金する技術がある（たとえば、下記特許文献１参照。）。
【０００３】
また、表示装置において、自動車や電車などに搭載された外部の撮像装置によって撮影された画像データを受信して表示する技術がある（たとえば、下記特許文献２参照。）。また、情報配信システムにおいて、撮影画像データの位置情報と、配信要求をおこなった車両の位置情報との差分が所定値より小さい場合、撮影画像データの公開を禁止する技術がある（たとえば、下記特許文献３参照。）。
【先行技術文献】
【特許文献】
【０００４】
【特許文献１】特開２００２−７４５８５号公報
【特許文献２】特開２００８−１５４１９２号公報
【特許文献３】特開２００８−２３２９６７号公報
【発明の概要】
【発明が解決しようとする課題】
【０００５】
しかしながら、上述した従来技術では、情報提供者に対するプライバシーの保護が不十分であるという問題があった。たとえば、配信対象となる撮影画像に、自宅や勤務先などのプライベートな場所が映り込んでいる場合、情報提供者のプライバシーが侵害される恐れがあるという問題がある。
【０００６】
本発明は、上述した従来技術による問題点を解消するため、情報提供者のプライバシーを侵害する可能性がある情報の配信を抑制することができる配信抑制装置、配信抑制方法および配信抑制プログラムを提供することを目的とする。
【課題を解決するための手段】
【０００７】
上述した課題を解決し、目的を達成するため、開示の配信抑制装置、配信抑制方法および配信抑制プログラムは、移動体に搭載されたカメラによって撮影された前記移動体外の撮影画像を取得し、取得された撮影画像に関連付けられている前記移動体の位置情報と、予め設定された任意の地点の位置情報とに基づいて、前記移動体のユーザとは異なる他のユーザに対する前記撮影画像の配信を抑制するか否かを判定し、判定された判定結果を出力することを要件とする。
【発明の効果】
【０００８】
本配信抑制装置、配信抑制方法および配信抑制プログラムによれば、情報提供者のプライバシーを侵害する可能性がある情報の配信を抑制することができるという効果を奏する。
【図面の簡単な説明】
【０００９】
【図１】本配信抑制手法の一実施例を示す説明図である。
【図２】画像配信システムのシステム構成図である。
【図３】配信抑制装置等のハードウェア構成の一例を示すブロック図である。
【図４】配信抑制装置の機能的構成を示すブロック図である。
【図５】地図データの具体例を示す説明図である。
【図６】配信抑制地点テーブルの記憶内容の一例を示す説明図である。
【図７】送信データテーブルの記憶内容の一例を示す説明図である。
【図８】公開範囲の設定例を示す説明図である。
【図９】撮影画像の加工例を示す説明図である。
【図１０】撮影画像ＤＢの記憶内容の一例を示す説明図である。
【図１１】サーバの機能的構成を示すブロック図である。
【図１２】配信抑制装置の配信抑制処理手順の一例を示すフローチャートである。
【図１３】サーバの情報配信処理手順の一例を示すフローチャートである。
【図１４】クライアント端末の表示画面例を示す説明図である。
【発明を実施するための形態】
【００１０】
以下に添付図面を参照して、この発明にかかる配信抑制装置、配信抑制方法および配信抑制プログラムの好適な実施の形態を詳細に説明する。
【００１１】
（本配信抑制手法の一実施例）
まず、本実施の形態にかかる配信抑制手法の一実施例について説明する。図１は、本配信抑制手法の一実施例を示す説明図である。本配信抑制手法は、たとえば、移動体Ｍに搭載されたカメラＣ（図２参照）によって撮影された撮影画像を第三者に提供する画像配信システム１００に適用される。
【００１２】
本配信抑制手法では、配信抑制装置１０１により、移動体Ｍに搭載されたカメラＣによって撮影された撮影画像を取得する。ここでは、配信抑制装置１０１により、所定の時間間隔でカメラＣによって撮影された撮影画像Ｉ１〜Ｉ３が取得されている。なお、撮影画像Ｉ１〜Ｉ３には、撮影時の移動体Ｍの位置情報が関連付けられている。
【００１３】
本配信抑制手法では、配信抑制装置１０１により、第三者に対する撮影画像Ｉ１〜Ｉ３の配信を抑制するか否かを判定する。具体的には、配信抑制装置１０１により、撮影画像Ｉ１〜Ｉ３に関連付けられている移動体Ｍの位置情報と、予め設定された地点の位置情報とに基づいて、撮影画像Ｉ１〜Ｉ３の配信を抑制するか否かを判定する。
【００１４】
ここで、予め設定された地点とは、情報提供者のプライバシーを侵害する可能性がある地点である。ここでは、撮影画像Ｉ２に移動体Ｍのドライバーの自宅が映り込んでいる、すなわち、撮影画像Ｉ２に情報提供者のプライバシーを侵害する可能性がある地点の画像が映り込んでいる。
【００１５】
この場合、本配信抑制手法では、配信抑制装置１０１により、第三者に対する撮影画像Ｉ２の配信を抑制すると判定する。そして、本配信抑制手法では、撮影画像Ｉ２の配信を抑制すると判定された場合、配信抑制装置１０１からサーバ１０２に撮影画像Ｉ２を送信しない。なお、配信抑制装置１０１により、撮影画像Ｉ２を加工してブランク画像としてサーバ１０２に送信することにしてもよい。
【００１６】
これにより、情報提供者のプライバシーを侵害する可能性がある地点、たとえば、自宅や勤務先などのプライベートな場所が映り込んでいる撮影画像の第三者への配信を抑制して、情報提供者のプライバシーを保護することができる。なお、配信を抑制しないと判定された撮影画像Ｉ１，Ｉ３は、配信抑制装置１０１からサーバ１０２に送信される。そして、サーバ１０２により、クライアント端末１０３からの配信要求に応じて、撮影画像Ｉ１，Ｉ３がクライアント端末１０３に配信される。
【００１７】
（画像配信システム１００のシステム構成）
つぎに、実施の形態にかかる画像配信システム１００のシステム構成例について説明する。図２は、画像配信システムのシステム構成図である。図２において、画像配信システム１００は、配信抑制装置１０１と、サーバ１０２と、クライアント端末１０３と、を含む構成である。
【００１８】
画像配信システム１００において、配信抑制装置１０１と、サーバ１０２と、クライアント端末１０３とは、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などの無線または有線のネットワーク２１０を介して相互に通信可能に接続されている。
【００１９】
配信抑制装置１０１は、移動体Ｍに搭載され、カメラＣによって撮影された撮影画像をサーバ１０２に送信する機能を有する。なお、移動体Ｍとは、たとえば、自動車や原動機付自転車などを含む車両である。カメラＣとは、移動体Ｍに搭載され、任意の時間間隔で移動体Ｍ外すなわち移動体Ｍの周囲を撮影する車載カメラである。
【００２０】
また、配信抑制装置１０１は、カメラＣによって撮影された撮影画像のクライアント端末１０３への配信を抑制するか否かを判定する機能を有する。配信抑制装置１０１において、クライアント端末１０３に対する配信を抑制すると判定された撮影画像（たとえば、図１に示した撮影画像Ｉ２）は、配信対象から除外される。
【００２１】
サーバ１０２は、撮影画像ＤＢ（データベース）２２０を備え、移動体Ｍに搭載されたカメラＣによって撮影された撮影画像を配信抑制装置１０１から受信する機能を有する。また、サーバ１０２は、クライアント端末１０３からの配信要求に応じて、撮影画像ＤＢ２２０内の撮影画像をクライアント端末１０３に配信する機能を有する。
【００２２】
クライアント端末１０３は、ブラウザ機能を備え、サーバ１０２から配信された撮影画像を表示する機能を有する。クライアント端末１０３は、たとえば、ＰＣ（パーソナル・コンピュータ）、携帯電話機、ナビゲーション装置などである。
【００２３】
（配信抑制装置等１０１〜１０３のハードウェア構成）
つぎに、配信抑制装置１０１、サーバ１０２およびクライアント端末１０３（ここでは、単に「配信抑制装置等１０１〜１０３」と表記する）のハードウェア構成について説明する。図３は、配信抑制装置等のハードウェア構成の一例を示すブロック図である。
【００２４】
図３において、配信抑制装置等１０１〜１０３は、ＣＰＵ（Ｃｅｎｔｒａｌ  Ｐｒｏｃｅｓｓｉｎｇ  Ｕｎｉｔ）３０１と、ＲＯＭ（Ｒｅａｄ‐Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、磁気ディスクドライブ３０４と、磁気ディスク３０５と、光ディスクドライブ３０６と、光ディスク３０７と、ディスプレイ３０８と、Ｉ／Ｆ（Ｉｎｔｅｒｆａｃｅ）３０９と、入力装置３１０と、を備えている。また、各構成部はバス３００によってそれぞれ接続されている。
【００２５】
ここで、ＣＰＵ３０１は、配信抑制装置等１０１〜１０３の全体の制御を司る。ＲＯＭ３０２は、ブートプログラムなどのプログラムを記憶している。ＲＡＭ３０３は、ＣＰＵ３０１のワークエリアとして使用される。磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記憶する。
【００２６】
光ディスクドライブ３０６は、ＣＰＵ３０１の制御にしたがって光ディスク３０７に対するデータのリード／ライトを制御する。光ディスク３０７は、光ディスクドライブ３０６の制御で書き込まれたデータを記憶したり、光ディスク３０７に記憶されたデータをコンピュータに読み取らせたりする。
【００２７】
ディスプレイ３０８は、カーソル、アイコンあるいはツールボックスをはじめ、文書、画像、機能情報などのデータを表示する。このディスプレイ３０８は、たとえば、ＣＲＴ、ＴＦＴ液晶ディスプレイ、プラズマディスプレイなどを採用することができる。
【００２８】
Ｉ／Ｆ３０９は、通信回線を通じてＬＡＮ、ＷＡＮ、インターネットなどのネットワーク２１０に接続され、このネットワーク２１０を介して他の装置に接続される。そして、Ｉ／Ｆ３０９は、ネットワーク２１０と内部のインターフェースを司り、外部装置からのデータの入出力を制御する。Ｉ／Ｆ３０９には、たとえばモデムやＬＡＮアダプタなどを採用することができる。
【００２９】
入力装置３１０は、文字、数字、各種指示などの入力のためのキーを備え、データの入力をおこなう。また、入力装置３１０は、タッチパネル式の入力パッドやテンキーなどであってもよい。
【００３０】
（配信抑制装置１０１の機能的構成）
つぎに、配信抑制装置１０１の機能的構成について説明する。図４は、配信抑制装置の機能的構成を示すブロック図である。図４において、配信抑制装置１０１は、取得部４０１と、関連付け部４０２と、判定部４０３と、算出部４０４と、加工部４０５と、送信部４０６と、を含む構成である。各機能部（取得部４０１〜送信部４０６）は、具体的には、たとえば、図３に示した配信抑制装置１０１のＲＯＭ３０２、ＲＡＭ３０３、磁気ディスク３０５、光ディスク３０７などの記憶装置に記憶されたプログラムをＣＰＵ３０１に実行させることにより、または、Ｉ／Ｆ３０９により、その機能を実現する。なお、各機能部の処理結果は、特に指定する場合を除いて、ＲＡＭ３０３、磁気ディスク３０５、光ディスク３０７などの記憶装置に記憶される。
【００３１】
まず、取得部４０１は、移動体Ｍに搭載されたカメラＣによって撮影された移動体Ｍ外の撮影画像を取得する機能を有する。ここで、撮影画像は、静止画像であってもよく、また、動画像であってもよい。具体的には、たとえば、取得部４０１が、Ｉ／Ｆ３０９を介して、カメラＣから撮影画像を取得する。なお、撮影画像には、撮影時の撮影時刻が付加されている。
【００３２】
また、取得部４０１は、移動体Ｍの位置情報を取得する機能を有する。ここで、位置情報とは、たとえば、地図データ（図５参照）上の移動体Ｍの位置を特定するための情報である。地図データとは、たとえば、ノードおよびリンクからなる道路形状データと、施設や道路その他地形（山、川、土地）に関するフィーチャを用いて描画される画像情報である。
【００３３】
具体的には、たとえば、取得部４０１が、Ｉ／Ｆ３０９を介して、移動体Ｍに搭載されたナビゲーション装置（不図示）によって測定された移動体Ｍの位置情報を取得する。なお、位置情報は、たとえば、ＧＰＳ（全地球測位システム）衛星からの受信波や移動体Ｍが備える各種センサからの出力値をもとに算出された移動体Ｍの位置情報である。
【００３４】
また、位置情報は、算出された位置情報をＤＧＰＳ（Ｄｉｆｆｅｒｅｎｔｉａｌ  ＧＰＳ）やマップマッチング処理により補正した位置情報であってもよい。なお、位置情報には、たとえば、位置測定時の時刻が付加されている。
【００３５】
ここで、地図データについて説明する。図５は、地図データの具体例を示す説明図である。図５において、ある地域の地図データ５００が、所定幅Ｒで格子状に区切られて、複数のメッシュ領域に分割されている。図５中、Ａ軸およびＢ軸に沿って羅列された数字は、メッシュ領域を特定するための番号である。
【００３６】
たとえば、地図データ５００上の点Ｘの位置情報は、点Ｘを含むメッシュ領域を特定するための座標位置『（Ａ，Ｂ）＝（２，３）』によって表現される。このため、移動体Ｍが点Ｘに位置している場合、移動体Ｍの位置情報は座標位置『（Ａ，Ｂ）＝（２，３）』によって表現される。
【００３７】
図４の説明に戻り、取得部４０１は、移動体Ｍの目的地点を示す目的地情報を取得する機能を有する。具体的には、たとえば、取得部４０１が、Ｉ／Ｆ３０９を介して、移動体Ｍに搭載されたナビゲーション装置（不図示）から移動体Ｍの目的地情報を取得する。
【００３８】
また、取得部４０１は、移動体Ｍの走行状態を示す走行状態情報を取得する機能を有する。ここで、走行状態情報とは、移動体Ｍが備える各種センサ（地磁気センサ、ジャイロセンサ、シフトレバーセンサ、シートベルトセンサ、エンジンセンサ、着座センサなど）の出力値から特定される移動体Ｍの走行状態を示す情報である。
【００３９】
すなわち、走行状態情報は、たとえば、移動体Ｍの移動方位、運転席に乗員が座っているか否か、シフトレバーの状態、エンジンの状態などを示す情報である。具体的には、たとえば、取得部４０１が、Ｉ／Ｆ３０９を介して、移動体Ｍが備える各種センサから移動体Ｍの走行状態情報を取得する。なお、走行状態情報には、たとえば、各種センサによる検出時の時刻が付加されている。
【００４０】
関連付け部４０２は、取得された取得結果を関連付ける機能を有する。具体的には、たとえば、関連付け部４０２が、時刻を手掛かりにして、撮影画像と他の各種情報（位置情報、目的地情報、走行状態情報）とを関連付ける。より具体的には、たとえば、関連付け部４０２が、撮影画像の撮影時刻と位置測定時の時刻との時間差が所定時間内（たとえば、１０秒以内）の移動体Ｍの位置情報を撮影画像と関連付ける。
【００４１】
なお、取得された撮影画像が映像データの場合、関連付け部４０２が、任意の時間間隔（たとえば、５［分］）で撮影画像を区切って複数の映像データに分割することにしてもよい。この場合、関連付け部４０２が、分割された映像データごとに、他の各種情報と関連付けることにしてもよい。これにより、長時間（たとえば、３０［分］、１［時間］）継続して撮影されていた撮影画像を分割して扱うことができる。
【００４２】
なお、関連付け部４０２が、撮影画像と移動体Ｍの走行状態情報とを関連付ける場合、走行状態情報の検出時の時刻が撮影画像の撮影時刻よりも所定時間後（たとえば、３［分］）のもの同士を関連付けることにしてもよい。これにより、実際に駐車行動に移る前の撮影画像と走行状態情報とを関連付けることができる。
【００４３】
判定部４０３は、取得された撮影画像に関連付けられている移動体Ｍの位置情報と、予め設定された任意の地点の位置情報とに基づいて、クライアント端末１０３に対する撮影画像の配信を抑制するか否かを判定する機能を有する。
【００４４】
具体的には、たとえば、判定部４０３が、移動体Ｍの位置情報と任意の地点の位置情報が一致（たとえば、同一のメッシュ領域）する場合、撮影画像の配信を抑制すると判定することにしてもよい。一方、判定部４０３が、移動体Ｍの位置情報と任意の地点の位置情報が不一致（たとえば、メッシュ領域が異なる）の場合、撮影画像の配信を抑制しないと判定することにしてもよい。
【００４５】
算出部４０４は、撮影画像に関連付けられている移動体Ｍの位置情報と、任意の地点の位置情報とに基づいて、移動体Ｍの位置と任意の地点との距離を算出する機能を有する。ここで、距離とは、移動体Ｍの位置と任意の地点との直線距離でもよく、また、移動体Ｍの位置から任意の地点に辿り着くまでの経路距離でもよい。なお、経路距離は、移動体Ｍの位置から任意の地点に辿り着くまでに経由するメッシュ領域数でもよい。
【００４６】
また、判定部４０３は、算出された算出結果に基づいて、クライアント端末１０３に対する撮影画像の配信を抑制するか否かを判定することにしてもよい。具体的には、たとえば、判定部４０３が、算出された距離が所定の閾値α未満の場合、撮影画像の配信を抑制すると判定する。
【００４７】
これにより、任意の地点の周辺が映り込んでいる撮影画像の第三者への配信を抑制することができる。なお、上記閾値αは、たとえば、予め設定されてＲＯＭ３０２、ＲＡＭ３０３、磁気ディスク３０５、光ディスク３０７などの記憶装置に記憶されている。また、判定部４０３の具体的な処理内容については後述する。
【００４８】
加工部４０５は、取得された撮影画像を加工する機能を有する。具体的には、たとえば、加工部４０５が、撮影画像のうち、予め設定された公開範囲外の画像をトリミングやフィルタリングして加工する。ここで、公開範囲とは、第三者に公開してもよい画像の範囲を指定するものである。この公開範囲は、たとえば、図３に示した入力装置３１０を用いたユーザの操作入力により任意に設定可能である。なお、公開範囲の設定例については、図８を用いて後述する。
【００４９】
また、加工部４０５は、撮影画像の配信を抑制すると判定された場合、撮影画像を第三者が認識不能な状態に加工することにしてもよい。具体的には、たとえば、加工部４０５が、撮影画像をブランク画像として加工する。なお、撮影画像の加工例については、図９を用いて後述する。
【００５０】
送信部４０６は、撮影画像をサーバ１０２に送信する機能を有する。具体的には、たとえば、撮影画像の配信を抑制しないと判定された場合、送信部４０６が、撮影画像をサーバ１０２に送信する。一方、撮影画像の配信を抑制すると判定された場合、送信部４０６が、撮影画像をサーバ１０２に送信しないことにしてもよい。
【００５１】
また、撮影画像の配信を抑制すると判定された場合、送信部４０６が、撮影画像とともに、撮影画像の配信を抑制することを示す判定結果をサーバ１０２に送信することにしてもよい。より具体的には、たとえば、送信部４０６が、図７に示す送信データテーブル７００内の送信データをサーバ１０２に送信することにしてもよい。また、撮影画像が加工されている場合、送信部４０６が、加工後の撮影画像をサーバ１０２に送信する。
【００５２】
（判定部４０３の具体的処理内容）
ここで、上記判定部４０３の具体的な処理内容の一例について説明する。まず、予め設定された配信抑制地点の位置情報を用いて、クライアント端末１０３に対する撮影画像の配信を抑制するか否かを判定する場合について説明する。配信抑制地点とは、撮影画像の配信を抑制する地点である。配信抑制地点としては、たとえば、自宅、勤務先、定期的に通っている施設（スポーツジム、ショッピングセンタ）などがある。
【００５３】
具体的には、たとえば、まず、算出部４０４が、図６に示す配信抑制地点テーブル６００を参照して、移動体Ｍの位置情報と配信抑制地点の位置情報とに基づいて、移動体Ｍの位置と配信抑制地点との距離を算出する。
【００５４】
このあと、判定部４０３が、算出された距離が所定の閾値α未満の場合、撮影画像の配信を抑制すると判定する。これにより、ユーザによって任意に指定された配信抑制地点の周辺が映り込んでいる撮影画像の配信を抑制することができる。ここで、配信抑制地点テーブル６００の記憶内容について説明する。
【００５５】
図６は、配信抑制地点テーブルの記憶内容の一例を示す説明図である。図６において、配信抑制地点テーブル６００は、地点ＩＤ、地点名および位置情報のフィールドを有し、各フィールドに情報を設定することで、配信抑制地点情報６００−１〜６００−ｍをレコードとして記憶している。
【００５６】
地点ＩＤとは、配信抑制地点を識別する識別子である。地点名は、配信抑制地点の名称である。位置情報とは、配信抑制地点の位置を示す情報である。ここで、配信抑制地点情報６００−１を例に挙げると、自宅を示す配信抑制地点Ｐ１の位置情報（４，５）が登録されている。このため、自宅の周辺が映り込んでいる撮影画像の配信は抑制されることになる。
【００５７】
なお、配信抑制地点テーブル６００は、たとえば、入力装置３１０を用いたユーザの操作入力により作成される。具体的には、たとえば、ユーザが、ディスプレイ３０８に表示された地図データ上で、撮影画像の配信を抑制したい任意の地点を指定する。この結果、指定された地点の位置情報が割り出されて、新たな配信抑制地点情報が配信抑制地点テーブル６００に登録される。
【００５８】
つぎに、移動体Ｍの目的地点の位置情報を用いて、クライアント端末１０３に対する撮影画像の配信を抑制するか否かを判定する場合について説明する。具体的には、たとえば、まず、算出部４０４が、撮影画像に関連付けられている移動体Ｍの位置情報と、取得された目的地情報から特定される目的地点の位置情報とに基づいて、移動体Ｍの位置と目的地点との距離を算出する。
【００５９】
このあと、判定部４０３が、算出された距離が所定の距離α未満の場合、撮影画像の配信を抑制すると判定することにしてもよい。これにより、移動体Ｍの目的地の周辺が映り込んでいる撮影画像の配信を抑制することができる。
【００６０】
つぎに、移動体Ｍの走行状態情報を用いて、クライアント端末１０３に対する撮影画像の配信を抑制するか否かを判定する場合について説明する。具体的には、たとえば、まず、判定部４０３が、移動体Ｍの走行状態情報に基づいて、移動体Ｍが駐車行動中か否かを判定する。
【００６１】
より具体的には、たとえば、判定部４０３が、移動体Ｍの走行状態情報が以下（ａ）〜（ｄ）の少なくともいずれかを示す場合、移動体Ｍが駐車行動中であると判定することにしてもよい。また、判定部４０３が、移動体Ｍの走行状態情報が以下（ａ）〜（ｄ）のすべてを示す場合、移動体Ｍが駐車行動中であると判定することにしてもよい。
【００６２】
（ａ）シフトレバーセンサの出力値がバックギアまたはパーキング
（ｂ）シートベルトセンサの出力値がシートベルトを非着用
（ｃ）エンジンセンサの出力値がエンジン停止
（ｄ）着座センサの出力値が運転席に乗員が座っていない
【００６３】
そして、判定部４０３は、移動体Ｍが駐車行動中であると判定された場合、撮影画像の配信を抑制すると判定する。これにより、移動体Ｍの駐車地点の周辺が映り込んでいる撮影画像の配信を抑制することができる。
【００６４】
つぎに、地図データおよび移動体Ｍの走行状態情報を用いて、クライアント端末１０３に対する撮影画像の配信を抑制するか否かを判定する場合について説明する。具体的には、たとえば、まず、判定部４０３が、移動体Ｍの位置情報および地図データに基づいて、移動体Ｍが道路上に位置しているか否かを判定する。より具体的には、たとえば、判定部４０３が、移動体Ｍの位置情報、移動方位などと道路形状データとを比較し、移動体Ｍが道路上に位置しているか否かを判定する。
【００６５】
このあと、判定部４０３が、移動体Ｍの走行状態情報に基づいて、移動体Ｍが駐車行動中か否かを判定する。そして、判定部４０３が、移動体Ｍが道路上に位置していないと判定され、かつ、移動体Ｍが駐車行動中であると判定された場合、撮影画像の配信を抑制すると判定する。これにより、信号待ちなどの移動中の一時停止と駐車行動とをより正確に区別することができる。
【００６６】
通常、ドライバーは目的を持って移動体Ｍにより移動している。このため、移動体Ｍがどこに向かっているのか、どこに駐車するのかが第三者に知られてしまうと、移動体Ｍの推定を容易にする場合がある。そこで、ここでは、上述したように、移動体Ｍの目的地点や駐車行動を考慮して、撮影画像の配信を抑制するか否かを判定する。
【００６７】
なお、上記判定部４０３の判定処理を実行することなく、意図的に全撮影画像の配信を抑制しないよう設定可能にしてもよい。これにより、遊園地や百貨店などが目的地として設定されている場合であっても、気象状況、混雑状況、渋滞状況などの情報を第三者に提供することができる。判定された判定結果は、たとえば、図７に示す送信データテーブル７００に記憶される。ここで、送信データテーブル７００の記憶内容について説明する。
【００６８】
（送信データテーブルの記憶内容）
図７は、送信データテーブルの記憶内容の一例を示す説明図である。図７において、送信データテーブル７００は、撮影画像ＩＤ、映像データ、撮影時刻、位置情報および抑制フラグのフィールドを有する。各フィールドに情報を設定することで、送信データ７００−１〜７００−５がレコードとして記憶されている。
【００６９】
ここで、撮影画像ＩＤとは、撮影画像を識別する識別子である。映像データとは、撮影画像を任意の時間間隔で区切って分割した分割後の映像データである。撮影時刻は、撮影画像から分割された分割後の映像データの撮影が開始された時刻である。位置情報とは、各映像データの撮影が開始された時点の移動体Ｍの位置情報である。
【００７０】
抑制フラグとは、映像データの配信を抑制するか否かを示すフラグである。ここでは、映像データの配信を抑制すると判定された場合、抑制フラグに「ＯＮ」が設定される。また、抑制フラグは、初期状態では「ＯＦＦ」である。なお、撮影時刻および位置情報は、上記関連付け部４０２によって各映像データと関連付けられた情報である。
【００７１】
ここで、送信データ７００−１を例に挙げると、映像データＩ１ａの配信を抑制しないと判定された結果、映像データＩ１ａと撮影時刻および位置情報とが関連付けて記憶されている。また、送信データ７００−５を例に挙げると、映像データＩ１ｅの配信を抑制すると判定された結果、映像データＩ１ｅと撮影時刻および位置情報とが関連付けて記憶され、抑制フラグに「ＯＮ」が設定されている。
【００７２】
（公開範囲の設定例）
つぎに、第三者に公開してもよい画像の範囲を指定する公開範囲の設定例について説明する。図８は、公開範囲の設定例を示す説明図である。図８において、移動体Ｍに搭載されているカメラＣによって撮影される撮影領域８１０が表示されている。ここで、撮影領域８１０には、移動体Ｍの天井８１１、バックミラー８１２、ダッシュボード８１３、ボンネット８１４、エンブレム８１５などが映り込んでいる。
【００７３】
このため、移動体Ｍの天井８１１、バックミラー８１２、ダッシュボード８１３、ボンネット８１４、エンブレム８１５などの色や形に特徴がある場合、第三者に移動体Ｍを特定される可能性がある。そこで、撮影画像のうち第三者に公開してもよい公開範囲を設定して、上記８１１〜８１５が映り込まないようにする。
【００７４】
具体的には、たとえば、入力装置３１０を用いたユーザの操作入力により、ディスプレイ３０８に表示された撮影領域８１０のうち、第三者に公開してもよい公開範囲８２０を設定する。この結果、撮影領域８１０のうち公開範囲８２０外の画像は、ハッチ部分８２１，８２２のように第三者に認識不能に加工される。なお、移動体Ｍに搭載されたカメラＣの視点が変動可能な場合、カメラの視点変動にしたがって、公開範囲８２０を追従するようにしてもよい。
【００７５】
（撮影画像の加工例）
つぎに、配信を抑制すると判定された撮影画像の加工例について説明する。図９は、撮影画像の加工例を示す説明図である。図９において、配信を抑制すると判定された撮影画像９１０がブランク画像９２０に加工されている。この結果、撮影画像９１０が第三者によって認識不能な状態となっている。
【００７６】
（撮影画像ＤＢ２２０の記憶内容）
つぎに、サーバ１０２が備える撮影画像ＤＢ２２０の記憶内容について説明する。図１０は、撮影画像ＤＢの記憶内容の一例を示す説明図である。この撮影画像ＤＢ２２０は、たとえば、図３に示したサーバ１０２のＲＡＭ３０３、磁気ディスク３０５、光ディスク３０７などの記憶装置によって実現される。
【００７７】
図１０において、撮影画像ＤＢ２２０は、撮影画像ＩＤ、映像データ、撮影時刻、位置情報、道路ＩＤおよび抑制フラグのフィールドを有する。各フィールドに情報を設定することで、撮影画像データ１０００−１〜１０００−ｎがレコードとして記憶されている。
【００７８】
ここで、撮影画像ＩＤとは、撮影画像を識別する識別子である。映像データとは、撮影画像を任意の時間間隔で区切って分割した分割後の映像データである。撮影時刻は、撮影画像から分割された分割後の映像データの撮影が開始された時刻である。位置情報とは、映像データの撮影時の移動体Ｍの位置情報である。
【００７９】
道路ＩＤとは、映像データの撮影時に移動体Ｍが位置していた道路を識別する識別子である。なお、この道路ＩＤは、地図データを参照することで移動体Ｍの位置情報から特定される。抑制フラグとは、映像データの配信を抑制するか否かを示すフラグである。ここで、撮影画像データ１０００−１を例に挙げると、撮影画像データ１０００−１−１〜１０００−１−５（送信データ７００−１〜７００−５）の集合である。
【００８０】
（サーバ１０２の機能的構成）
つぎに、サーバ１０２の機能的構成について説明する。図１１は、サーバの機能的構成を示すブロック図である。図１１において、サーバ１０２は、受信部１１０１と、検索部１１０２と、判断部１１０３と、配信部１１０４と、を含む構成である。各機能部（受信部１１０１〜配信部１１０４）は、具体的には、たとえば、図３に示したＲＯＭ３０２、ＲＡＭ３０３、磁気ディスク３０５、光ディスク３０７などの記憶装置に記憶されたプログラムをＣＰＵ３０１に実行させることにより、または、Ｉ／Ｆ３０９により、その機能を実現する。なお、各機能部の処理結果は、特に指定する場合を除いて、ＲＡＭ３０３、磁気ディスク３０５、光ディスク３０７などの記憶装置に記憶される。
【００８１】
まず、受信部１１０１は、移動体Ｍに搭載されたカメラＣによって撮影された撮影画像を配信抑制装置１０１から受信する機能を有する。具体的には、たとえば、受信部１１０１が、配信抑制装置１０１から送信データ７００−１〜７００−５を受信する。なお、受信された撮影画像（たとえば、撮影画像データ１０００−１）は、たとえば、撮影画像ＤＢ２２０に記憶される。
【００８２】
また、受信部１１０１は、撮影画像の配信要求をクライアント端末１０３から受信する機能を有する。撮影画像の配信要求には、クライアント端末１０３のユーザによって任意に指定された地点の位置情報が含まれている。
【００８３】
検索部１１０２は、受信された撮影画像の配信要求に基づいて、図１０に示した撮影画像ＤＢ２２０の中から撮影画像を検索する機能を有する。具体的には、たとえば、検索部１１０２が、撮影画像ＤＢ２２０の中から、配信要求に含まれる位置情報と一致する位置情報の撮影画像データを検索する。
【００８４】
なお、配信要求に含まれる位置情報と一致する位置情報の撮影画像が検索されなかった場合、検索部１１０２が、配信要求に含まれる位置情報を中心とする一定範囲の撮影画像を検索対象として、再検索することにしてもよい。
【００８５】
判断部１１０３は、検索された撮影画像の配信が抑制されているか否かを判断する機能を有する。具体的には、たとえば、判断部１１０３が、検索された撮影画像データの抑制フラグに「ＯＮ」が設定されている場合、撮影画像（映像データ）の配信が抑制されていると判断する。
【００８６】
一方、判断部１１０３が、撮影画像データの抑制フラグに「ＯＦＦ」が設定されている場合、撮影画像（映像データ）の配信が抑制されていないと判断する。なお、上記検索部１１０２において、複数の撮影画像が検索された場合、撮影画像ごとに配信が抑制されているか否かの判断を実行することにしてもよい。
【００８７】
配信部１１０４は、検索された撮影画像の配信を抑制しないと判断された場合、撮影画像を配信要求元のクライアント端末１０３に配信する機能を有する。一方、配信部１１０４は、検索された撮影画像の配信を抑制すると判断された場合、撮影画像を配信要求元のクライアント端末１０３に配信しない。
【００８８】
なお、上記検索部１１０２によって撮影画像が検索されなかった場合、配信部１１０４が、撮影画像が検索されなかった旨のメッセージデータをクライアント端末１０３に配信することにしてもよい。また、配信抑制装置１０１が、配信を抑制すると判定された撮影画像をサーバ１０２に送信しない場合、上記判断部１１０３の判断処理は不要となる。
【００８９】
（配信抑制装置１０１の配信抑制処理手順）
つぎに、配信抑制装置１０１の配信抑制処理手順について説明する。図１２は、配信抑制装置の配信抑制処理手順の一例を示すフローチャートである。図１２のフローチャートにおいて、まず、取得部４０１により、撮影画像および各種情報を取得したか否かを判断する（ステップＳ１２０１）。
【００９０】
なお、撮影画像は、移動体Ｍに搭載されたカメラＣによって撮影された撮影画像である。また、各種情報は、移動体Ｍの位置情報、目的地情報および走行状態情報である。
【００９１】
ここで、撮影画像および各種情報を取得するのを待って（ステップＳ１２０１：Ｎｏ）、取得した場合（ステップＳ１２０１：Ｙｅｓ）、関連付け部４０２により、時刻を手掛かりにして、撮影画像と他の各種情報とを関連付ける（ステップＳ１２０２）。
【００９２】
そして、関連付け部４０２により、関連付けられた撮影画像（撮影時刻を含む）と移動体Ｍの位置情報を送信データとして送信データテーブル７００に登録する（ステップＳ１２０３）。このあと、判定部４０３により、ユーザによって意図的に撮影画像を抑制しないように設定されているか否かを判定する（ステップＳ１２０４）。
【００９３】
ここで、撮影画像を抑制しないように設定されている場合（ステップＳ１２０４：Ｙｅｓ）、ステップＳ１２１２に移行する。一方、撮影画像を抑制しないように設定されていない場合（ステップＳ１２０４：Ｎｏ）、算出部４０４により、配信抑制地点テーブル６００を参照して、移動体Ｍの位置と配信抑制地点との距離を算出する（ステップＳ１２０５）。
【００９４】
このあと、判定部４０３により、算出された距離が所定の閾値α未満か否かを判定する（ステップＳ１２０６）。ここで、閾値α未満の場合（ステップＳ１２０６：Ｙｅｓ）、判定部４０３により、送信データテーブル７００内の抑制フラグを「ＯＮ」に設定する（ステップＳ１２０７）。そして、加工部４０５により、送信データテーブル７００内の撮影画像をブランク画像に加工して（ステップＳ１２０８）、ステップＳ１２１３に移行する。
【００９５】
また、ステップＳ１２０６において、閾値α以上の場合（ステップＳ１２０６：Ｎｏ）、算出部４０４により、移動体Ｍの位置と移動体Ｍの目的地点との距離を算出する（ステップＳ１２０９）。このあと、判定部４０３により、算出された距離が所定の閾値α未満か否かを判定する（ステップＳ１２１０）。
【００９６】
ここで、閾値α未満の場合（ステップＳ１２１０：Ｙｅｓ）、判定部４０３により、送信データテーブル７００内の抑制フラグを「ＯＮ」に設定する（ステップＳ１２０７）。そして、加工部４０５により、送信データテーブル７００内の撮影画像をブランク画像に加工して（ステップＳ１２０８）、ステップＳ１２１３に移行する。
【００９７】
また、ステップＳ１２１０において、閾値α以上の場合（ステップＳ１２１０：Ｎｏ）、判定部４０３により、移動体Ｍの走行状態情報に基づいて、移動体Ｍが駐車行動中か否かを判定する（ステップＳ１２１１）。
【００９８】
ここで、移動体Ｍが駐車行動中の場合（ステップＳ１２１１：Ｙｅｓ）、判定部４０３により、送信データテーブル７００内の抑制フラグを「ＯＮ」に設定する（ステップＳ１２０７）。そして、加工部４０５により、送信データテーブル７００内の撮影画像をブランク画像に加工して（ステップＳ１２０８）、ステップＳ１２１３に移行する。
【００９９】
一方、移動体Ｍが駐車行動中ではない場合（ステップＳ１２１１：Ｎｏ）、加工部４０５により、撮影画像のうち公開範囲外の画像をフィルタリングして加工する（ステップＳ１２１２）。そして、送信部４０６により、送信データテーブル７００内の送信データをサーバ１０２に送信して（ステップＳ１２１３）、本フローチャートによる一連の処理を終了する。
【０１００】
なお、ステップＳ１２０８でブランク画像に加工した画像をステップＳ１２１３で送信する代わりに、ステップＳ１２０７で抑制フラグを「ＯＮ」に設定された撮影画像については、Ｓ１２０８での加工を行わずに、ステップＳ１２１３での送信自体を行わないようにしてもよい。
【０１０１】
これにより、移動体Ｍに搭載されたカメラＣによって撮影された撮影画像のうち、情報提供者のプライバシーを侵害する可能性がある撮影画像の配信を抑制することができる。また、撮影画像のうち公開範囲外の画像を第三者が認識不能に加工することができる。
【０１０２】
（サーバ１０２の情報配信処理手順）
つぎに、サーバ１０２の情報配信処理手順について説明する。図１３は、サーバの情報配信処理手順の一例を示すフローチャートである。図１３のフローチャートにおいて、まず、受信部１１０１により、撮影画像の配信要求をクライアント端末１０３から受信したか否かを判断する（ステップＳ１３０１）。
【０１０３】
ここで、配信要求を受信するのを待って（ステップＳ１３０１：Ｎｏ）、受信した場合（ステップＳ１３０１：Ｙｅｓ）、検索部１１０２により、受信された撮影画像の配信要求に基づいて、撮影画像ＤＢ２２０の中から撮影画像を検索する（ステップＳ１３０２）。
【０１０４】
このあと、検索部１１０２により、撮影画像が検索されたか否かを判断する（ステップＳ１３０３）。ここで、撮影画像が検索された場合（ステップＳ１３０３：Ｙｅｓ）、判断部１１０３により、検索された撮影画像の配信が抑制されているか否かを判断する（ステップＳ１３０４）。
【０１０５】
そして、撮影画像の配信が抑制されていない場合（ステップＳ１３０４：Ｎｏ）、配信部１１０４により、検索された撮影画像を配信要求元のクライアント端末１０３に配信して（ステップＳ１３０５）、本フローチャートによる一連の処理を終了する。
【０１０６】
一方、撮影画像の配信が抑制されている場合（ステップＳ１３０４：Ｙｅｓ）、配信部１１０４により、撮影画像が検索されなかった旨のメッセージを配信要求元のクライアント端末１０３に配信して（ステップＳ１３０６）、本フローチャートによる一連の処理を終了する。
【０１０７】
また、ステップＳ１３０３において、撮影画像が検索されなかった場合（ステップＳ１３０３：Ｎｏ）、撮影画像が検索されなかった旨のメッセージを配信要求元のクライアント端末１０３に配信して（ステップＳ１３０６）、本フローチャートによる一連の処理を終了する。
【０１０８】
これにより、情報提供者のプライバシーに配慮しながら、移動体Ｍに搭載されたカメラＣによって撮影された撮影画像を第三者に提供するサービスを実現することができる。
【０１０９】
（クライアント端末１０３の表示画面例）
つぎに、クライアント端末１０３のディスプレイ３０８（図３参照）に表示される表示画面例について説明する。図１４は、クライアント端末の表示画面例を示す説明図である。図１４において、クライアント端末１０３のディスプレイ３０８に表示される表示画面１４１０，１４２０が示されている。
【０１１０】
まず、クライアント端末１０３からサーバ１０２にアクセスすると、クライアント端末１０３のディスプレイ３０８に表示画面１４１０が表示される。表示画面１４１０において、ユーザが入力装置３１０（図３参照）を用いて、カーソルＣを移動させて地図データ１４１１上の点Ｘを指定すると、点Ｘの位置情報を含む配信要求がサーバ１０２に送信される。
【０１１１】
このあと、サーバ１０２において配信要求に応じた撮影画像（映像データ）が検索されると、サーバ１０２からクライアント端末１０３に撮影画像が配信される。ここで、サーバ１０２において映像データＩ１ａ，Ｉ１ｂ（図１０参照）が検索されたとする。この場合、撮影画像ＩＤが同一の映像データＩ１ｃ，Ｉ１ｄも合わせて配信することにしてもよい。ただし、映像データＦ１ｅは、撮影画像ＩＤが同一であっても、抑制フラグが「ＯＮ」のため配信されない。
【０１１２】
表示画面１４２０において、たとえば、ユーザが入力装置３１０を用いて、カーソルＣを移動させてサムネイル画像１４２１を指定すると、映像データＦ１ａ〜Ｆ１ｄが順に再生される。この際、位置情報（２，３）→（２，４）→（３，４）という経路を道路ＩＤ（１２１）→（１２２）の道路を経て移動した映像であることを示すために、地図データ上のマーカＭを順次移動させることにしてもよい。
【０１１３】
また、上述した説明では、クライアント端末１０３のユーザによって指定された任意の地点の位置情報によって配信要求をおこなう場合について説明したが、これに限らない。たとえば、ユーザが撮影時刻を指定してもよく、また、撮影時刻と位置情報との組み合わせによって配信要求をおこなうことにしてもよい。
【０１１４】
なお、本実施の形態では、撮影画像の配信を抑制するか否かの判定処理を移動体Ｍに搭載された配信抑制装置１０１において実行することにしたが、これに限らない。具体的には、たとえば、サーバ１０２において、撮影画像の配信を抑制するか否かの判定処理を実行することにしてもよい。
【０１１５】
この場合、移動体Ｍに搭載された配信抑制装置１０１は、関連付け部４０２によって関連付けられた関連付け結果をサーバ１０２に送信する。そして、サーバ１０２は、配信抑制装置１０１からの関連付け結果に基づいて、撮影画像の配信を抑制するか否かの判定処理を実行する。なお、配信対象となる撮影画像に対する判定処理は、クライアント端末１０３からの配信要求前に実行してもよく、また、クライアント端末１０３からの配信要求に応じた撮影画像に対してのみ実行することにしてもよい。
【０１１６】
以上説明したように、本実施の形態によれば、移動体Ｍの位置情報と、予め設定された配信抑制地点の位置情報とに基づいて、移動体Ｍに搭載されたカメラＣによって撮影された撮影画像の配信を抑制するか否かを判定することができる。これにより、情報提供者が公開したくない場所が映り込んでいる撮影画像の第三者への配信を抑制することができる。
【０１１７】
また、本実施の形態によれば、移動体Ｍの位置情報と、移動体Ｍの目的地情報とに基づいて、移動体Ｍに搭載されたカメラＣによって撮影された撮影画像の配信を抑制するか否かを判定することができる。これにより、移動体Ｍの目的地の周辺が映り込んでいる撮影画像の第三者への配信を抑制することができる。
【０１１８】
また、本実施の形態によれば、移動体Ｍの走行状態情報に基づいて、移動体Ｍに搭載されたカメラＣによって撮影された撮影画像の配信を抑制するか否かを判定することができる。これにより、移動体Ｍの駐車地点の周辺が映り込んでいる撮影画像の第三者への配信を抑制することができる。
【０１１９】
また、本実施の形態によれば、地図データおよび移動体Ｍの走行状態情報に基づいて、移動体Ｍに搭載されたカメラＣによって撮影された撮影画像の配信を抑制するか否かを判定することができる。これにより、信号待ちなどの移動中の一時停止と駐車行動とをより正確に区別することができる。
【０１２０】
また、本実施の形態によれば、配信対象となる撮影画像のうち、予め設定された公開範囲外の画像を第三者が認識不能に加工することができる。これにより、配信対象となる撮影画像のうち、移動体Ｍの特定につながる可能性がある部分（バックミラー、ボンネット、エンブレムなど）の画像を隠蔽することができる。この結果、たとえば、渋滞などによって情報提供者側の移動体Ｍと情報受信側の移動体Ｍとの車間距離が短い場合であっても、加工後の撮影画像をクライアント端末１０３に配信することができる。
【０１２１】
これらのことから、本実施の形態にかかる配信抑制装置、配信抑制方法および配信抑制プログラムによれば、情報提供者のプライバシーを保護しながら、移動体Ｍに搭載されたカメラＣによって撮影された撮影画像を利用者に配信するサービスを実現することができる。
【０１２２】
なお、本実施の形態で説明した配信抑制方法は、予め用意されたプログラムをパーソナル・コンピュータやワークステーション等のコンピュータで実行することにより実現することができる。本配信抑制プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本配信抑制プログラムは、インターネット等のネットワークを介して配布してもよい。
【符号の説明】
【０１２３】
１００  画像配信システム
１０１  配信抑制装置
１０２  サーバ
１０３  クライアント端末
２２０  撮影画像ＤＢ
４０１  取得部
４０２  関連付け部
４０３  判定部
４０４  算出部
４０５  加工部
４０６  送信部
６００  配信抑制地点テーブル
７００  送信データテーブル
【図１】
2011141762.tif 000003
【図２】
2011141762.tif 000004
【図３】
2011141762.tif 000005
【図４】
2011141762.tif 000006
【図５】
2011141762.tif 000007
【図６】
2011141762.tif 000008
【図７】
2011141762.tif 000009
【図８】
2011141762.tif 000010
【図９】
2011141762.tif 000011
【図１０】
2011141762.tif 000012
【図１１】
2011141762.tif 000013
【図１２】
2011141762.tif 000014
【図１３】
2011141762.tif 000015
【図１４】
2011141762.tif 000016